(57)【要約】      （修正有）【課題】姿勢が不安定であった場合でも測定を可能とする測量装置を提供する。【解決手段】基準光軸Ｏを有する測量装置本体４と、基準光軸Ｏと所定の関係の第１撮像光軸に沿って測定対象２を含む第１画像を取得する測定方向撮像部と、測定対象２迄の距離を測定する測距部と、測距光の射出方向検出部と、基準時刻信号を発する時間測定器と、基準光軸Ｏに対して所定の角度で下方に延出する第２撮像光軸１３に沿って第２画像を取得する下方撮像部５と、測量装置本体４の姿勢検出器と、表示部と演算制御部とを具備し、演算制御部は、姿勢検出器の検出結果に基づき第２画像上に鉛直下位置を表示させる様表示部を制御すると共に、第１画像と第２画像を所定時間間隔で取得して少なくともいずれか一方の画像間の変化を検出し、画像間の変化と測距部と射出方向検出部の検出結果を基準時刻に基づき関連付け、鉛直下位置に対する測定対象２の測定点を確定する様構成した。【選択図】図１
2020201112.tif 000002
【特許請求の範囲】
【請求項１】
基準光軸を有する測量装置本体と、前記基準光軸と所定の関係を有する第１撮像光軸に沿って測定対象を含む第１画像を取得する測定方向撮像部と、測距光を照射し前記測定対象迄の距離を測定する測距部と、前記測距光の射出方向を検出する射出方向検出部と、基準時刻の信号を発する時間測定器と、前記基準光軸に対して所定の角度で下方に延出する第２撮像光軸に沿って第２画像を取得する下方撮像部と、前記測量装置本体の傾斜を検出する姿勢検出器と、表示部と、演算制御部とを具備し、該演算制御部は、前記姿勢検出器の検出結果に基づき前記第２画像上に鉛直下位置を表示させる様前記表示部を制御すると共に、前記第１画像と前記第２画像を所定時間間隔で取得して少なくともいずれか一方の画像間の変化を検出し、該画像間の変化と前記測距部と前記射出方向検出部の検出結果を前記基準時刻に基づき関連付け、前記鉛直下位置に対する前記測定対象の測定点を確定する様構成した測量装置。
【請求項２】
基準点に設置された既知の形状の基準マーカを有する設置基準板を更に具備し、前記測量装置本体は前記基準マーカが前記第２画像中に含まれる様保持され、前記演算制御部は、前記第２画像中での前記基準点と前記鉛直下位置との偏差に基づき前記基準点を基準とした確定した前記測定点が前記第１画像上に表示される様前記表示部を制御する様構成された請求項１に記載の測量装置。
【請求項３】
前記演算制御部は、前記第２画像中での前記基準マーカの大きさと形状に基づき前記基準点に対する機械中心の位置を演算し、該位置に基づき前記基準点を基準とした前記測定対象を測定する様構成された請求項２に記載の測量装置。
【請求項４】
前記演算制御部は、前記姿勢検出器の検出結果を所定時間毎に平均し、演算された平均傾斜に基づき前記第１画像上に水平を示す基準視標と、前記第２画像上に下方視標との少なくとも一方を表示させる様前記表示部を制御する請求項１〜請求項３のうちいずれか１項に記載の測量装置。
【発明の詳細な説明】
【技術分野】
【０００１】
本発明は、簡単な設置作業で測定が可能な、測量装置に関するものである。
【背景技術】
【０００２】
測量装置を用いて測量を実施する場合、先ず測量装置を基準点上に設置する必要がある。
【０００３】
一般に測量装置を基準点上に設置する場合、三脚を用いて設置されるが、測量装置は三脚上で水平に整準され、又、測量装置の機械中心が前記基準点を通過する鉛直線上に正確に位置決めされなければならない。更に、基準点から前記機械中心迄の高さ（測量装置の器械高）も測定されなければならない。この為、測量装置の設置作業は、煩雑で時間と熟練が必要とされた。
【０００４】
又、測定対象物を測距光でスキャン（走査）する場合、測量装置の姿勢を安定させた状態でスキャンする必要があった。従って、測量装置を設置する際には、三脚を用いて測量装置を安定して固定することが重要であった。
【先行技術文献】
【特許文献】
【０００５】
【特許文献１】特開２０１７−９０２４４号公報
【特許文献２】特開２０１６−１５１４２３号公報
【特許文献３】特開２０１６−１６１４１１号公報
【特許文献４】特開２０１６−１５１４２２号公報
【特許文献５】特開２０１７−１０６８１３号公報
【発明の概要】
【発明が解決しようとする課題】
【０００６】
本発明は、姿勢が不安定であった場合でも測定を可能とする測量装置を提供するものである。
【課題を解決するための手段】
【０００７】
本発明は、基準光軸を有する測量装置本体と、前記基準光軸と所定の関係を有する第１撮像光軸に沿って測定対象を含む第１画像を取得する測定方向撮像部と、測距光を照射し前記測定対象迄の距離を測定する測距部と、前記測距光の射出方向を検出する射出方向検出部と、基準時刻の信号を発する時間測定器と、前記基準光軸に対して所定の角度で下方に延出する第２撮像光軸に沿って第２画像を取得する下方撮像部と、前記測量装置本体の傾斜を検出する姿勢検出器と、表示部と、演算制御部とを具備し、該演算制御部は、前記姿勢検出器の検出結果に基づき前記第２画像上に鉛直下位置を表示させる様前記表示部を制御すると共に、前記第１画像と前記第２画像を所定時間間隔で取得して少なくともいずれか一方の画像間の変化を検出し、該画像間の変化と前記測距部と前記射出方向検出部の検出結果を前記基準時刻に基づき関連付け、前記鉛直下位置に対する前記測定対象の測定点を確定する様構成した測量装置に係るものである。
【０００８】
又本発明は、基準点に設置された既知の形状の基準マーカを有する設置基準板を更に具備し、前記測量装置本体は前記基準マーカが前記第２画像中に含まれる様保持され、前記演算制御部は、前記第２画像中での前記基準点と前記鉛直下位置との偏差に基づき前記基準点を基準とした確定した前記測定点が前記第１画像上に表示される様前記表示部を制御する様構成された測量装置に係るものである。
【０００９】
又本発明は、前記演算制御部は、前記第２画像中での前記基準マーカの大きさと形状に基づき前記基準点に対する機械中心の位置を演算し、該位置に基づき前記基準点を基準とした前記測定対象を測定する様構成された測量装置に係るものである。
【００１０】
更に又本発明は、前記演算制御部は、前記姿勢検出器の検出結果を所定時間毎に平均し、演算された平均傾斜に基づき前記第１画像上に水平を示す基準視標と、前記第２画像上に下方視標との少なくとも一方を表示させる様前記表示部を制御する測量装置に係るものである。
【発明の効果】
【００１１】
本発明によれば、基準光軸を有する測量装置本体と、前記基準光軸と所定の関係を有する第１撮像光軸に沿って測定対象を含む第１画像を取得する測定方向撮像部と、測距光を照射し前記測定対象迄の距離を測定する測距部と、前記測距光の射出方向を検出する射出方向検出部と、基準時刻の信号を発する時間測定器と、前記基準光軸に対して所定の角度で下方に延出する第２撮像光軸に沿って第２画像を取得する下方撮像部と、前記測量装置本体の傾斜を検出する姿勢検出器と、表示部と、演算制御部とを具備し、該演算制御部は、前記姿勢検出器の検出結果に基づき前記第２画像上に鉛直下位置を表示させる様前記表示部を制御すると共に、前記第１画像と前記第２画像を所定時間間隔で取得して少なくともいずれか一方の画像間の変化を検出し、該画像間の変化と前記測距部と前記射出方向検出部の検出結果を前記基準時刻に基づき関連付け、前記鉛直下位置に対する前記測定対象の測定点を確定する様構成したので、前記測量装置本体の姿勢が不安定であった場合でも測定を可能とするという優れた効果を発揮する。
【図面の簡単な説明】
【００１２】
【図１】本発明の実施例を示す概略図である。
【図２】本発明の実施例に係る測量装置本体を示す概略ブロック図である。
【図３】２次元の閉ループスキャンパターンの一例を示す説明図である。
【図４】（Ａ）はスキャンの前半で取得されるスキャン軌跡を示す説明図であり、（Ｂ）はスキャンの後半で取得されるスキャン軌跡を示す説明図である。
【図５】測量装置本体の変位方向を示す説明図である。
【図６】設置基準板を示す説明図である。
【図７】測定方向撮像部、下方撮像部で取得した画像と測量装置本体によるスキャン軌跡との関係を示す説明図である。
【図８】（Ａ）はスキャン中に測量装置本体が変位しなかった場合を示す説明図であり、（Ｂ）はスキャン中に測量装置本体が変位した場合を示す説明図である。
【図９】取得された画像間に於ける３方向の変位量に基づく近似曲線を示すグラフである。
【図１０】２つの花びらパターンの軌跡を１つの画像に集約した状態を示す説明図である。
【図１１】２つの花びらパターンの軌跡を２つの画像を連結した画像に集約した状態を示す説明図である。
【図１２】局所的な円パターンによるスキャン中に測量装置本体が変位した場合を示す説明図である。
【図１３】複数の局所的な円パターンを１つの画像に集約した状態を示す説明図である。
【図１４】第１画像と第２画像とを連結した連結画像を示す説明図である。
【発明を実施するための形態】
【００１３】
以下、図面を参照しつつ本発明の実施例を説明する。
【００１４】
図１は、本発明の実施例の概略を示す図である。図１中、１は測量装置を示し、２は測定対象を示す。
【００１５】
前記測量装置１は、主に、ハンドポール３、該ハンドポール３の上端に設けられた測量装置本体４、該測量装置本体４又は前記ハンドポール３に設けられた下方撮像部５、基準点Ｒ（測定の基準となる点）に設置される設置基準板６を有する。
【００１６】
前記ハンドポール３は、前記測量装置本体４、前記下方撮像部５の支持部材であると共に、測定作業を行う為の操作ハンドルである。尚、前記ハンドポール３は、棒状のものに限らず、鉤状或はリング状の取手等、適宜な形状でよい。
【００１７】
前記測量装置本体４は、測定方向撮像部７（後述）、測距部８（後述）を有している。又、前記測量装置本体４と前記下方撮像部５とは既知の位置関係となっている。
【００１８】
前記測距部８の光学系は、基準光軸Ｏを有している。前記測定方向撮像部７の光学系の光軸（以下、第１撮像光軸９）は前記基準光軸Ｏに対して所定角度（例えば６°）上方に傾斜している。又、前記測定方向撮像部７と前記測距部８との距離及び位置関係は既知となっている。前記測距部８と前記測定方向撮像部７は前記測量装置本体４の筐体内部に収納されている。
【００１９】
該筐体の背面（作業者と対向する面）には、表示部１１（図２参照）、操作部が設けられる。尚、前記表示部１１をタッチパネルとし、操作部と表示部とを兼用してもよい。以下は、前記表示部１１をタッチパネルとし、該表示部１１が操作部を兼用している場合を説明している。
【００２０】
前記測量装置本体４と前記下方撮像部５は、ＣＣＤ、ＣＭＯＳ等の撮像素子を有し、それぞれの撮像素子中の画素の位置が特定できる様になっている。例えば、前記測定方向撮像部７は前記第１撮像光軸９を原点とした画素座標を有し、前記下方撮像部５は該下方撮像部５の光軸（以下、第２撮像光軸１３）を原点とした画素座標を有し、各画素は該画素座標によって画像素子上での位置が特定される。前記下方撮像部５としては、例えば、市販のデジタルカメラが用いられてもよい。該下方撮像部５は、無線、有線等所要の手段により電気的に前記測量装置本体４と接続されている。前記撮像素子から入力される画像信号は、演算制御部１６（図２参照）を介して画像処理部１５（図２参照）に入力される。
【００２１】
又、前記下方撮像部５は、前記演算制御部１６によって画像取得の制御が行われ、該演算制御部１６によって前記下方撮像部５による画像取得と前記測定方向撮像部７による画像取得についての同期制御が行われる。
【００２２】
前記下方撮像部５は前記測量装置本体４の筐体に固定され、該測量装置本体４と一体化される。尚、前記下方撮像部５は前記筐体に内蔵されてもよい。前記下方撮像部５（即ち、該下方撮像部５の像形成位置）は前記測量装置本体４の機械中心に対して既知の位置に設けられる。前記第２撮像光軸１３は、下方に向けられ、前記基準光軸Ｏに対して所定の既知の角度に設定され、前記第２撮像光軸１３と前記基準光軸Ｏとは既知の関係となっている。尚、前記基準光軸Ｏ、前記第１撮像光軸９、前記第２撮像光軸１３は、所定の関係に設定される。
【００２３】
前記測定方向撮像部７の画角はθ１であり、前記下方撮像部５の画角はθ２である。θ１とθ２とは等しくてもよく、又異なっていてもよい。又、前記測定方向撮像部７の画角と前記下方撮像部５の画角はオーバラップしていなくてもよいが、所定量オーバラップすることが望ましい。又、前記下方撮像部５の画角、前記第２撮像光軸１３の方向は、前記設置基準板６が画像中に含まれる様設定される。
【００２４】
図２を参照して、前記測量装置本体４の概略構成を説明する。
【００２５】
該測量装置本体４は、前記測距部８、前記演算制御部１６、記憶部１７、前記画像処理部１５、光軸偏向部１８、時間測定器１９、姿勢検出器２０、前記測定方向撮像部７、射出方向検出部２１、前記表示部１１を具備し、これらは筐体２２に収納され、一体化されている。
【００２６】
前記基準光軸Ｏ上に、前記測距部８、前記光軸偏向部１８が配設される。前記測距部８は、前記光軸偏向部１８の中心を通過する測距光軸２３を有している。前記測距部８は、前記測距光軸２３上にレーザ光線として測距光２４を発し、前記測距光軸２３上から入射する反射測距光２５を受光し、該反射測距光２５に基づき前記測定対象２の測定を行う。尚、前記測距部８は光波距離計として機能する。又、該測距部８で得られた測距データは、後述する基準時刻に関連付けられて前記記憶部１７に格納される。
【００２７】
前記光軸偏向部１８は、前記測距光軸２３を偏向し、前記測距光２４を前記測定対象２に視準させる。前記光軸偏向部１８が前記測距光軸２３を偏向しない状態では、該測距光軸２３と前記基準光軸Ｏとは合致する。尚、前記光軸偏向部１８については、特許文献１、特許文献４、特許文献５に開示されたものを使用することができる。
【００２８】
レーザ光線としては、連続光或はパルス光、或は特許文献３に示される断続変調測距光（バースト光）のいずれが用いられてもよい。尚、パルス光及び断続変調光を総称してパルス光と称する。
【００２９】
前記記憶部１７には、撮像の制御プログラム、表示プログラム、前記姿勢検出器２０からの姿勢検出結果に基づき前記測量装置本体４の傾斜角、傾斜方向を演算し、更に傾斜角の鉛直成分（前記測量装置本体４の前記測定対象２に対する前後方向の傾斜角）、傾斜角の水平成分（前記測量装置本体４の前記測定対象２に対する左右方向の傾斜角）を演算する傾斜演算プログラム、測距を実行する為の測定プログラム、前記光軸偏向部１８の偏向作動を制御する為の偏向制御プログラム、前記下方撮像部５で取得した画像と前記測定方向撮像部７で取得した画像の合成、所定時間毎に取得された画像の変位検出等の処理を行う画像処理プログラム、各種演算を実行する演算プログラム等の各種プログラムが格納される。又、前記記憶部１７には、測距データ、測角データ、画像データ等の各種データが格納される。
【００３０】
前記演算制御部１６は、前記測量装置本体４の作動状態に応じて、前記各種プログラムを展開、実行して前記測距部８の制御、前記光軸偏向部１８の制御、前記測定方向撮像部７の制御、前記下方撮像部５の制御等を行い、測定を実行する。尚、前記演算制御部１６としては、本装置に特化したＣＰＵ、或は汎用ＣＰＵが用いられる。
【００３１】
又、前記記憶部１７としては、例えば、磁気記憶装置としてのＨＤＤ、半導体記憶装置としての内蔵メモリ、メモリカード、ＵＳＢメモリ等種々の記憶手段が用いられる。前記記憶部１７は、前記筐体２２に対して着脱可能であってもよい。或は、前記記憶部１７は、所望の通信手段を介して外部記憶装置或は外部データ処理装置にデータを送出可能としてもよい。
【００３２】
前記光軸偏向部１８について説明する。該光軸偏向部１８は、一対の光学プリズム２６，２７を具備する。該光学プリズム２６，２７は、それぞれ同径の円板形であり、前記測距光軸２３上に該測距光軸２３と直交して同心に配置され、所定間隔で平行に配置されている。前記光学プリズム２６，２７のそれぞれの回転を制御することで、前記基準光軸Ｏを基準として０°から最大偏角迄の任意の角度に前記測距光軸２３を偏向することができる。
【００３３】
又、前記測距光２４を連続して照射しつつ、前記光学プリズム２６，２７を連続的に駆動し、連続的に偏向することで、前記基準光軸Ｏを中心に前記測距光２４を所定のパターンで２次元スキャンさせることができる。
【００３４】
例えば、前記光学プリズム２６と前記光学プリズム２７のうち、一方の光学プリズムを１７．５Ｈｚで正回転させ、他方の光学プリズムを５Ｈｚで逆回転させることで、図３に示される様な、花びら状の２次元の閉ループスキャンパターン（花びらパターン２８（内トロコイド曲線））が得られる。
【００３５】
上記の条件で前記光学プリズム２６，２７を回転させる場合、前半（０〜０．２ｓｅｃ）では、図４（Ａ）に示される様な前記花びらパターン２８の前半の軌跡２８ａが得られる。又、後半（０．２〜０．４ｓｅｃ）では、図４（Ｂ）に示される様な前記花びらパターン２８の後半の軌跡２８ｂが得られる。前記前半の軌跡２８ａと前記後半の軌跡２８ｂとが組合わせられることで、１周期０．４ｓｅｃの前記花びらパターン２８が形成される。
【００３６】
又、該花びらパターン２８は、前記光軸偏向部１８の全偏向範囲で形成されるが、前記光軸偏向部１８で偏向された光軸（偏向光軸）に対して所定角度を維持する様、前記光学プリズム２６と前記光学プリズム２７の回転を制御すれば、前記偏向光軸を中心に円スキャンが実行される。
【００３７】
尚、局所円スキャンは、前記全偏向範囲内の一部で小さく往復回転を実行される２次元閉ループスキャンであり、スキャンの形状は円に限られることはなく、前記光学プリズム２６，２７の個別制御により任意の形状とすることができる。
【００３８】
前記時間測定器１９は、基準時刻信号を発する。該基準時刻信号は測定開始から連続して発せられるクロック信号でもよく、或はタイマーであってもよい。更に、前記時間測定器１９がＧＮＳＳ受信機を具備し、該ＧＮＳＳ受信機から取得されるＧＮＳＳ時刻を基準時刻信号としてもよい。
【００３９】
基準時刻信号は前記演算制御部１６に入力され、該演算制御部１６は測距データ、画像データ、射出方向検出結果、姿勢検出結果等、各種データ、検出結果と基準時刻信号との関連付けを行う。
【００４０】
次に、前記姿勢検出器２０について説明する。該姿勢検出器２０は、前記筐体２２（即ち、前記測量装置本体４）の水平に対する傾斜角をリアルタイムで検出する。前記姿勢検出器２０としては、例えばチルトセンサや加速度センサが用いられ、或は特許文献２に開示された姿勢検出装置を使用することもできる。前記姿勢検出器２０の検出結果は、前記演算制御部１６に入力され、基準時刻と関連付けられて前記記憶部１７に格納される。
【００４１】
又、前記姿勢検出器２０の出力は、前記演算制御部１６に所定時間間隔で検出される。従って、時間に対する前記測量装置本体４の傾斜変化を求められると共に、所定の時間内での平均傾斜角も演算される。
【００４２】
前記射出方向検出部２１は、前記光学プリズム２６，２７の相対回転角、該光学プリズム２６，２７の一体回転角を検出し、前記測距光軸２３の偏向方向（射出方向）をリアルタイムで検出する。
【００４３】
射出方向検出結果（測角結果）は、測距結果に関連付けられて前記演算制御部１６に入力され、該演算制御部１６は測距結果、射出方向検出結果と前記基準時刻信号とを関連付けて前記記憶部１７に格納する。尚、前記測距光２４がバースト発光される場合は、断続測距光毎に測距、測角、更に基準時刻信号との関連付けが実行される。
【００４４】
前記測定方向撮像部７は前記第１撮像光軸９を有している。一例として前記測定方向撮像部７は、前記光学プリズム２６，２７による最大偏角θ／２（例えば±３０°）と略等しい、５０°〜６０°の画角を有するカメラである。前記第１撮像光軸９と前記測距光軸２３及び前記基準光軸Ｏとの関係は既知であり、又各光軸間の距離も既知の値となっている。
【００４５】
又、前記測定方向撮像部７は、静止画像又は連続画像或は動画像がリアルタイムで取得可能である。前記測定方向撮像部７で取得された画像（観察画像）は、前記表示部１１に送信される。本実施例では、前記画像は前記表示部１１に静止画像の観察画像として表示され、作業者は前記表示部１１に表示された前記観察画像を観察して測定作業を実行できる。前記観察画像の中心は、前記第１撮像光軸９と合致し、前記基準光軸Ｏは前記第１撮像光軸９との既知の関係に基づき前記観察画像の中心に対して所定画角ずれた位置となる。
【００４６】
前記演算制御部１６は、前記測定方向撮像部７の撮像を制御する。前記演算制御部１６は、前記測定方向撮像部７が前記動画像、又は連続画像を撮像する場合に、該動画像、又は連続画像を構成するフレーム画像を取得するタイミングと、前記測量装置本体４でスキャンするタイミングとの同期を取っている。
【００４７】
上記した様に、前記演算制御部１６は、基準時刻に基づき画像と測定データ（測距、測角データ）との関連付けも実行する。又、前記測定方向撮像部７と前記下方撮像部５との同期制御を行っている。
【００４８】
前記測定方向撮像部７の前記第１撮像光軸９と前記基準光軸Ｏとの関係（距離）が既知であるので、前記測距部８による測定位置と前記撮像素子上での位置（画素）との相互関連付けが可能である。前記撮像素子からの画像信号と画素に関連付けられた座標情報は、前記演算制御部１６を介して前記画像処理部１５に入力される。
【００４９】
前記演算制御部１６は、前記姿勢検出器２０からの検出結果に基づき、前記測量装置本体４の左右方向の傾斜角、前後方向（前記測定対象２に対して近接離反する方向）の傾斜角を演算する。前後方向の傾斜角は、前記基準光軸Ｏの水平に対する傾斜角として現れ、左右方向の傾斜角は、前記測定方向撮像部７で取得する画像の傾き（回転）として現れる。
【００５０】
前記下方撮像部５について説明する。
【００５１】
該下方撮像部５は、前記測量装置本体４と電気的に接続されており、前記下方撮像部５で取得された画像データは前記測量装置本体４に入力される。
【００５２】
前記下方撮像部５の撮像は、前記演算制御部１６によって前記測定方向撮像部７の撮像、前記測距部８の測距と同期制御される。前記下方撮像部５は、前記測量装置本体４の機械中心に対して既知の位置に設けられており、前記下方撮像部５と前記ハンドポール３の下端との距離も既知となっている。
【００５３】
更に、前記下方撮像部５の前記第２撮像光軸１３は、前記基準光軸Ｏとの成す角、基準光軸Ｏと前記第２撮像光軸１３との交点の位置が既知の関係にある。前記演算制御部１６は、前記下方撮像部５で取得した画像データと、前記測定方向撮像部７で取得した画像、前記測距部８で測定した測距データを、前記基準時刻信号と関連付けて前記記憶部１７に格納する。
【００５４】
前記表示部１１は、前記測量装置本体４の測定状態、測定結果等を表示し、又前記下方撮像部５、前記測定方向撮像部７が取得した画像、スキャン軌跡等を表示する。更に、前記表示部１１から前記測量装置本体４に測定作業に関する司令等、各種指令を入力できる様になっている。
【００５５】
次に、図６を参照して前記設置基準板６について説明する。
【００５６】
該設置基準板６自体の形状は、円板であっても矩形の板であっても、或は他の形状であってもよい。前記設置基準板６の上面に、基準マーカ３１が形成される。
【００５７】
該基準マーカ３１は、中心と水平方向の方向を示す形状を有している。前記基準マーカ３１は、該基準マーカ３１の中心と同心で、且つ既知の直径を有する真円の外円線３２、該外円線３２と同心で、且つ既知の直径を有する真円の内円線３３、更に前記基準マーカ３１の中心から放射状に延出し、前記外円線３２と前記内円線３３との間に形成された放射線から構成されている。該放射線は円周を等分割した位置に形成されている。例えば、放射線は円周が１６等分（２２．５°間隔）された位置に設けられている。前記放射線の１つは、方向基準線３４ａであり、該方向基準線３４ａを基準として円周４等分した位置の放射線は副方向基準線３４ｂであり、残りの放射線は方向補助線３４ｃとなっている。又、前記方向基準線３４ａ、前記副方向基準線３４ｂ、前記方向補助線３４ｃは、識別可能な様に、前記方向基準線３４ａは太線、前記副方向基準線３４ｂは中太線、前記方向補助線３４ｃは細線となっている。
【００５８】
尚、識別の方法としては、前記下方撮像部５が取得する画像が色彩を有する場合は、前記方向基準線３４ａ、前記副方向基準線３４ｂ、前記方向補助線３４ｃは色分けしてもよい。又、形状で識別する場合は、前記の方向線（３４ａ，３４ｂ，３４ｃ）の代りに方向基準を狭角とした二等辺三角形にしてもよい。
【００５９】
前記設置基準板６は、該設置基準板６の中心が前記基準点Ｒに合致する様に設置される。従って、該設置基準板６の中心と前記基準点Ｒとを合致させ易い様に、前記設置基準板６が透明板であり、或は前記内円線３３の内部が刳貫かれている。
【００６０】
図７は、前記測定方向撮像部７の画像取得範囲、前記下方撮像部５の画像取得範囲、スキャンの関係を示す。
【００６１】
図７中、３５は前記測定方向撮像部７の第１画像取得範囲、３６は前記下方撮像部５の第２画像取得範囲、３７は前記光軸偏向部１８による前記測距光軸２３の偏向範囲、２８は前記測距光２４を複数回照射しつつ、前記光軸偏向部１８により花びらパターンでスキャンした場合の軌跡を示している。前記花びらパターン２８に示されるドットは複数回の前記測距光２４の照射点を示す。即ち、前記花びらパターン２８の軌跡上の測定点を示す。又、３８は前記第１画像取得範囲３５の画像中心（該画像中心３８は前記第１撮像光軸９と合致する）、３９は前記第２画像取得範囲３６の画像中心（該画像中心３９は前記第２撮像光軸１３と合致する）を示している。
【００６２】
又、前記第１画像取得範囲３５内には、水平及び鉛直を示す十字状の基準視標４１が表示されている。前記測量装置本体４が水平である場合には、前記画像中心３８と基準視標４１の交点とが合致する。前記第２画像取得範囲３６内には、前記測量装置本体４の機械中心の鉛直下位置を示す十字状の下方視標４２が表示される。尚、該下方視標４２の十字の交点が前記鉛直下位置となる。
【００６３】
又、図１に於いて、θ１は前記測定方向撮像部７の画角、θ２は前記下方撮像部５の画角、θ３は前記測量装置本体４のスキャン範囲をそれぞれ示している。
【００６４】
更に、図７は、前記第１撮像光軸９と前記第２撮像光軸１３との間の角度が例えば６０°に設定され、前記基準光軸Ｏが前記第１撮像光軸９に対して例えば６°下方に傾斜している。つまり、θ４は５４°となる。
【００６５】
前記第２撮像光軸１３は下方に向けられ、前記第２画像取得範囲３６が前記基準マーカ３１を含む様に、前記下方撮像部５の方向が設定されている。従って、前記下方撮像部５が取得する画像には、前記基準点Ｒを含み、更に測定者側の範囲（図示では略８０°）の画像が含まれる。
【００６６】
前記基準点Ｒを中心とした所定半径の画像を回転角検出用の回転検出画像４３として設定し、所定時間間隔で取得する。前記演算制御部１６が回転前後の前記回転検出画像４３の回転変位を演算することで、前記測量装置本体４の回転角が求められる。尚、前記基準視標４１及び前記下方視標４２は、前記演算制御部１６が前記姿勢検出器２０の出力を所定時間毎に平均し、算出した平均傾斜に基づき演算したものとなっている。
【００６７】
図１〜図７を参照して、前記測量装置１の測定作用について説明する。以下の測定作用は、前記記憶部１７に格納されたプログラムを、前記演算制御部１６が実行することでなされる。
【００６８】
測定を行う場合、先ず前記設置基準板６の中心を前記基準点Ｒに位置決めし、前記方向基準線３４ａを所定或は任意の方向に向ける。
【００６９】
前記測定方向撮像部７、前記下方撮像部５を作動させ、第１画像と第２画像を前記表示部１１に表示させた状態で、前記ハンドポール３を略垂直として作業者が保持する。作業者は、前記表示部１１に表示された画像を観察し、前記設置基準板６が前記第２画像中に含まれていることを確認しつつ、前記測定対象２を前記第１画像の例えば中心に捉え、前記表示部１１を介して測距を実行する。
【００７０】
前記光軸偏向部１８により、前記測距光軸２３が前記第１撮像光軸９に沿う様に向けられて測距する。又、測距値取得時の前記下方撮像部５による画像が取得され、画像処理で前記基準マーカ３１に基づき前記下方撮像部５（即ち、前記測量装置本体４）の前記基準点Ｒに対する斜距離、前記設置基準板６の面に対する傾斜角、傾斜方向が演算される。
【００７１】
前記下方撮像部５の前記第２撮像光軸１３が傾斜していた場合、前記下方撮像部５で取得される像は楕円形となる。楕円の長径は、元の円の直径に等しいので、例えば前記外円線３２の像の直径を求めれば、該外円線３２の第２画像中での直径を求めることができる。又、第２画像上での前記外円線３２の大きさと前記基準マーカ３１と前記下方撮像部５間の距離の関係を予め求めておくことで、前記基準マーカ３１と前記下方撮像部５間の斜距離を演算することができる。
【００７２】
更に、前記外円線３２の長径と短径の比率を求めることで、前記第２撮像光軸１３の前記設置基準板６の面に対する傾斜角を演算することができる。又、前記外円線３２の長径又は短径が前記基準マーカ３１のどの位置に現れるかを求めることで、前記第２撮像光軸１３が前記測定対象２に対してどの方向に傾斜しているかを演算することができる。
【００７３】
上記説明は、前記基準マーカ３１が真円である場合を説明したが、真円に限らず、既知の形状を有する基準マーカであればよい。正対している時の基準マーカの形状（画像）に対して基準マーカが傾斜した場合の形状（画像）の変化を求めれば、傾斜角、傾斜方向が求められる。尚、使用される基準マーカとしては、左右、上下対象であることが好ましい。
【００７４】
前記測量装置本体４により前記測定対象２を測定すると、該測定対象２迄の距離が測定され、更に前記第１撮像光軸９に対する前記基準光軸Ｏの偏角（図７では６°）と前記基準光軸Ｏに対する前記測距光軸２３の偏角が前記射出方向検出部２１によって検出される。又、前記測量装置本体４の水平に対する傾斜角が、前記基準マーカ３１の図形から、或は前記姿勢検出器２０の検出結果から検出され、前記測距光軸２３の水平に対する傾斜角が演算される。更に前記測量装置本体４の回転変化が前記回転検出画像４３から検出される。
【００７５】
前記測距光軸２３の水平に対する傾斜角に基づき、前記斜距離が水平距離に補正され、前記測距光軸２３の水平に対する傾斜角が演算され、検出された回転角に基づき方向角が演算され、前記基準点Ｒと前記測量装置本体４との斜距離が演算され、前記第２撮像光軸１３の倒れ角が演算され、前記基準点Ｒを基準とした前記測定対象２の３次元座標が求められる。
【００７６】
上記説明では、前記測距光軸２３が前記第１撮像光軸９に沿う様に向けられて測定する場合について説明したが、前記測量装置本体４をレーザスキャナとして測定することもできる。該測量装置本体４をレーザスキャナとして用いる場合、前記光学プリズム２６，２７の回転を制御し、前記花びらパターン２８の軌跡でスキャンしつつ、スキャン過程でパルス測距光を照射する。これにより、前記花びらパターン２８の軌跡に沿った各照射点（各測定点）について３次元測距データを取得することができる。又、スキャンと並行して、前記測定方向撮像部７による第１画像と、前記下方撮像部５による第２画像とが所定間隔で取得される。
【００７７】
前記第１画像、前記第２画像が取得されるフレームレートが１０フレーム／ｓｅｃで発光レートが１０ＫＨｚ（１０，０００回／ｓｅｃ）の場合、フレーム画像が取得される度に１，０００回のパルス測距光が発光される様、前記演算制御部１６により同期制御される。又、フレーム画像の取得時刻とパルス測距光による測距時刻とはそれぞれ前記基準時刻と関連付けられる。尚、前記第１画像、前記第２画像の撮像素子がＣＭＯＳの場合、グローバルシャッタのタイプが望ましい。
【００７８】
尚、フレーム画像の取得時刻と、パルス測距光による測距時刻と、前記基準時刻との関連付けが正確に実行されれば、スキャンと前記第１画像、前記第２画像の取得との同期は厳密でなくてもよい。
【００７９】
又、前記第１画像と前記第２画像を合成する場合は、両画像のオーバラップ部分を用いて行うことができる。或は、図７に示される様に、前記花びらパターン２８の一部が前記第２画像取得範囲３６に含まれる様にスキャンを実行し、前記第１画像中の軌跡に沿った測距データ、前記第２画像中の軌跡に沿った測距データを用いて直ちに前記第１画像と前記第２画像との合成が可能である。
【００８０】
前記第１画像と前記第２画像を合成することで、前記基準点Ｒから前記測定対象２を含む広範囲の観察画像を取得でき、測定範囲、測定位置の確認が容易になり、作業性が向上する。又、前記第１画像、或は合成画像と２次元スキャンで得られた軌跡に沿ったデータとを関連付けることで、３次元データ付きの画像が取得できる。
【００８１】
ここで、前記測量装置本体４は、前記ハンドポール３を介して作業者が手で保持している。従って、前記測量装置本体４が安定して支持されず、小さく揺れている。一方で、前記測量装置本体４の小さな揺れは主に手ブレであり、測定中に前記測距光軸２３に直交する面内で、或は該測距光軸２３と平行な方向に大きく変位することはないと考えられる。従って、前記測量装置本体４の時間に対する変位は、図５に示される様に、概ね前記測距光軸２３に直交する面内での回転（φ）、前記測距光軸２３を含む鉛直面内での回転（κ）、前記測距光軸２３を含む水平面内での回転（ω）と考えてよい。
【００８２】
前記測距光２４をスキャンし、測定を実行している状態で、前記測量装置本体４に変位がない場合は、図８（Ａ）に示される様に、前記測定方向撮像部７で取得される画像４４にも変位を生じず、前記画像中心３８を中心とした綺麗な花びらパターン２８が形成される。
【００８３】
一方、前記測量装置本体４の支持が不安定であり、スキャン途中で該測量装置本体４が回転（角度：κ，ω，φ）した場合、前記測定方向撮像部７の前記第１撮像光軸９も一体に回転（角度：κ，ω，φ）するので、取得される画像は前記測定対象２に対して（角度：κ，ω，φ）だけ回転する。
【００８４】
この回転の傾き変化は前記姿勢検出器２０の検出でも得られるが、一般に姿勢検出器２０は重力方向と横方向の加速度が合成され、横方向の変動がある場合には真の鉛直に対する傾斜検出が難しい為、少なくとも１秒間以上平均して加速度成分の影響を軽減する。又、前記姿勢検出器２０では左右方向の回転（図５に於けるω）及び平行移動成分を検出できないので、変位の検出にあたっては画像による方法と併用する。
【００８５】
尚、前記花びらパターン２８のスキャン軌跡と前記測定方向撮像部７の画角（視界）との関係は固定となっている。従って、取得画像間で変位（回転）があれば（即ち、前記測定対象２に対して撮像位置の変位があれば）、スキャン軌跡も取得画像間の変位と同じだけ前記測定対象２に対して変位を生じる。
【００８６】
図８（Ｂ）は、取得画像間で変位を生じた場合を示している。図８（Ｂ）中、実線で示す画像４４ａは変位前の状態を示し、破線で示す画像４４ｂは元の前記画像４４ａに対して変位した状態を示している。
【００８７】
前記回転（角度：κ，ω，φ）は画像の変位を検出することでリアルタイムに求めることができる。画像の変位を検出する代表的な方法としては、特徴抽出によるマッチングや、位相限定法、回転不変位相限定法が知られている。画像上、κは縦方向、ωは横方向、φは回転として検出される。又、前記回転（角度：κ，ω，φ）を所定時間間隔で平均化し、平均回転角を算出することもできる。
【００８８】
所定の画像が取得されてから次の画像が取得される迄の間に測定される測定点については、演算により求めることができる。
【００８９】
以下、図９を参照して説明する。図９中、横軸は基準時刻を示し、縦軸はκ，ω，φの変位角を示している。図示ではフレームレートが１０フレーム／ｓｅｃ、パルス測距光の発光レートは１０ＫＨｚ（１０，０００回／ｓｅｃ）として説明する。尚、フレームレート、発光レートは、装置の性能、測定環境により適宜変更されることは言う迄もない。
【００９０】
０．１秒毎に画像が取得され、測距が１，０００回実行される。画像の取得と測距とは同期されている。
【００９１】
前述の画像の変位を検出により、前画像に対する次画像の回転角（κ，ω，φ）（即ち、測距光軸２３のκ，ω，φ）が求められる。従って、測定点の位置はκ，ω，φに基づき演算し、補正することができる。
【００９２】
又、画像取得毎に回転角（κ，ω，φ）を求めることで、時間に対する（κ，ω，φ）の変化が求められ、図９に示される様に、κ，ω，φそれぞれを含む近似曲線を作成することができる。従って、内挿により前記近似曲線から回転角を求めることができる。例えば、時刻ｔ１と時刻ｔ２との間の時刻ｔ′については、前記近似曲線からκ′，ω′，φ′を得ることができる。このκ′，ω′，φ′に基づき測定点の位置を特定でき、又高低角、水平角を演算することができる。
【００９３】
尚、スタート点は、前記姿勢検出器２０の検出結果を１秒間以上平均して得られた傾斜角が基準となっている。又、画像間の（κ，ω，φ）の変化は、直線で近似させてもよい。更に、上記説明では測距と画像取得とを同期させたが、κ，ω，φの近似曲線が得られれば、測距時刻に基づき近似曲線より測距時刻でのκ，ω，φが得られるので、必ずしも同期させなくてもよい。
【００９４】
上記した様に、前記測量装置本体４は、基準時刻信号を発する前記時間測定器１９を有し、前記測距部８による測距時刻、前記測定方向撮像部７、前記下方撮像部５による画像取得時刻、前記射出方向検出部２１による射出方向検出時刻、前記姿勢検出器２０による姿勢検出時刻は、それぞれ共通の基準時刻に関連付けられている。従って、前記記憶部１７に格納されたデータについて同一の基準時刻に対応する測距データ、画像データ、方向検出データ等を選択すれば、同一時刻に取得したデータを得ることができる。
【００９５】
全ての測距時刻を基に、各測距時刻に於ける内挿により前記近似曲線から全ての測定点のκ，ω，φが求められることで、各測定点の位置が補正演算により確定し、又高低角、水平角の演算、更には各測定点の３次元座標を演算することができる。
【００９６】
ここで、例えば、図１０は１つの画像４４に２つの花びらパターン２８の軌跡を補正し、確定した軌跡を集約表示したものである。又、図１１は、連結した２つの画像４４，４４に前記花びらパターン２８の補正後の確定した軌跡を集約表示したものである。
【００９７】
尚、前記設置基準板６を設けない場合、確定される各測定点は、前記下方視標４２の交点を基準とした測定点となる。又、前記設置基準板６を設ける場合には、基準点Ｒと前記下方視標４２を合致させるか、或は前記基準マーカ３１の形状に基づき傾斜角と傾斜方向を演算することで、前記基準点Ｒを基準とした測定点が特定される。
【００９８】
上述の様に、本実施例では、各測定点の測定後に、測定点の位置の確定、高低角、水平角の演算、３次元座標の演算を行うので、前記測量装置本体４が安定に保持されていなくとも測定を実行することができる。
【００９９】
又、本実施例では、前記下方撮像部５で取得した画像中の前記基準マーカ３１の大きさ及び形状に基づき、前記基準点Ｒに対する前記測量装置本体４の機械中心の位置を演算している。従って、前記基準点Ｒに前記設置基準板６を設置し、前記下方撮像部５で前記基準マーカ３１を撮像できる様前記測量装置本体４を保持するだけでよいので、前記測量装置１を容易に設置することができる。
【０１００】
又、本実施例では、前記表示部１１に水平を示す前記基準視標４１を表示させているので、前記測量装置本体４が傾いているかどうかを前記表示部１１を見ながら作業者が容易に判断することができ、作業性を向上させることができる。
【０１０１】
尚、前記測量装置本体４を回転させ、或は該測量装置本体４を大きく傾斜させ、測定方向、測定範囲を変更する場合がある。或は、外的要因で大きく姿勢が変化した場合等、鮮明な測定方向の画像が得られず、κ，ω，φを求めることが困難になる場合がある。この場合、前記姿勢検出器２０の検出結果、前記回転検出画像４３の検出結果に基づき、前記演算制御部１６が前記測量装置本体４に急激な姿勢変化を判断し、測定を中止し、急激な姿勢変化がなくなったとき測定を再開する。
【０１０２】
上記した急激な姿勢変化の有無の判断は、前記姿勢検出器２０の検出結果の変化率、前記回転検出画像４３の検出結果の変化率について閾値を設けて行ってもよい。
【０１０３】
尚、本実施例では、画像変位検出によるスキャン軌跡の確定処理を行う為、前記花びらパターン２８を用いているが、２次元閉ループのスキャンパターンであれば他のスキャンパターンを用いてもよい。例えば、図１２に示される様な、局所的な円パターン４５等、任意のスキャンパターンを選択することができる。
【０１０４】
尚、図１３は、１つの画像に複数の局所的な円パターン４５の補正後の確定した軌跡を集約した状態を示している。又、図１４は、前記測定方向撮像部７が取得した第１画像と、前記下方撮像部５が取得した第２画像とを連結した連結画像４６であり、前記測量装置本体４の鉛直下方（前記下方視標４２）と前記局所的な円パターン４５の補正後の確定した軌跡との関係を示している。
【符号の説明】
【０１０５】
１              測量装置
２              測定対象
３              ハンドポール
４              測量装置本体
５              下方撮像部
６              設置基準板
７              測定方向撮像部
８              測距部
９              第１撮像光軸
１３            第２撮像光軸
１５            画像処理部
１６            演算制御部
１７            記憶部
１８            光軸偏向部
１９            時間測定器
２０            姿勢検出器
２１            射出方向検出部
２４            測距光
３１            基準マーカ
【図１】
2020201112.tif 000003
【図２】
2020201112.tif 000004
【図３】
2020201112.tif 000005
【図４】
2020201112.tif 000006
【図５】
2020201112.tif 000007
【図６】
2020201112.tif 000008
【図７】
2020201112.tif 000009
【図８】
2020201112.tif 000010
【図９】
2020201112.tif 000011
【図１０】
2020201112.tif 000012
【図１１】
2020201112.tif 000013
【図１２】
2020201112.tif 000014
【図１３】
2020201112.tif 000015
【図１４】
2020201112.tif 000016